【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
装置において、
ダウン・サンプル・ユニットと、
アップ・サンプル・ユニットとを具備し、
前記ダウン・サンプル・ユニットと前記アップ・サンプル・ユニットは、ともに組み合わされて、合成遅延を生成させ、
前記ダウン・サンプル・ユニットと前記アップ・サンプル・ユニットとを通してサンプルを処理することに関係する前記合成遅延が、ダウン・サンプリングされたドメインにおけるサンプルをフィルタリングするように構成されているフィルタの１つ以上のタップ遅延に関係する遅延に対応するように、前記ダウン・サンプル・ユニットと前記アップ・サンプル・ユニットはそれぞれ調整可能である装置。
【請求項２】
前記合成遅延は、前記装置の調整可能なパラメータである請求項１記載の装置。
【請求項３】
前記装置は、アクティヴ雑音相殺を実行するように構成されているアクティヴ雑音相殺回路を具備し、
前記遅延は、前記アクティヴ雑音相殺を促進するように選択される請求項１記載の装置。
【請求項４】
前記アップ・サンプル・ユニットは、前記ダウン・サンプル・ユニットの後に続き、前記合成遅延を提供する請求項１記載の装置。
【請求項５】
前記ダウン・サンプル・ユニットは、カスケード積分合成器（ＣＩＣ）デシメータを備え、
前記アップ・サンプル・ユニットは、ＣＩＣ補間器を備える請求項１記載の装置。
【請求項６】
前記合成遅延はまた、前記ダウン・サンプル・ユニットおよび前記アップ・サンプル・ユニットに対する、ステージ数（Ｎ）の固定値と差動遅延（Ｍ）の固定値とに基づいている請求項５記載の装置。
【請求項７】
前記フィルタを定義し、前記ダウン・サンプル・ユニットの出力をフィルタリングして前記アップ・サンプル・ユニットへの入力を提供する、増幅器と加算器と遅延素子とのセットをさらに具備し、
前記遅延に対応する前記合成遅延は、前記フィルタに関係する遅延と一致する請求項１記載の装置。
【請求項８】
前記ダウン・サンプル・ユニットと前記アップ・サンプル・ユニットは、前記合成遅延の半分を生成させるようにそれぞれ調整可能である請求項１記載の装置。
【請求項９】
前記装置は、前記遅延を発生させる前記ダウン・サンプル・ユニットと前記アップ・サンプル・ユニットとを備える、アクティヴ雑音相殺回路を具備し、
前記遅延は、アクティヴ雑音相殺を促進するように選択され、
前記装置は、オーディオ情報を取り込むマイクロフォンと、前記取り込んだオーディオ情報をサンプルに変換するデジタル・アナログ変換器と、前記アクティヴ雑音相殺回路によって発生される反雑音を出力するスピーカとをさらに具備する請求項１記載の装置。
【請求項１０】
１つ以上のスケーリング増幅器をさらに具備する請求項１記載の装置。
【請求項１１】
前記ダウン・サンプル・ユニットと前記アップ・サンプル・ユニットとを通してサンプルを処理することに関係する前記合成遅延は、前記ダウン・サンプル・ユニットおよび前記アップ・サンプル・ユニットのサンプリング・レシオに基づいて調整可能である請求項１記載の装置。
【請求項１２】
アクティヴ雑音相殺を実行する方法において、
前記方法は、ダウン・サンプル・ユニットとアップ・サンプル・ユニットとを通してサンプルを処理することを含み、
前記ダウン・サンプル・ユニットと前記アップ・サンプル・ユニットは、ともに組み合わされて、合成遅延を生成させ、
前記ダウン・サンプル・ユニットと前記アップ・サンプル・ユニットとを通してサンプルを処理することに関係する前記合成遅延が、アクティヴ雑音相殺を促進するように選択される遅延に対応するように、前記ダウン・サンプル・ユニットと前記アップ・サンプル・ユニットはそれぞれ調整可能であり、
前記遅延は、ダウン・サンプリングされたドメインにおけるサンプルをフィルタリングするように構成されているフィルタの１つ以上のタップ遅延に関係する遅延に対応する方法。
【請求項１３】
前記合成遅延は、前記ダウン・サンプル・ユニットと前記アップ・サンプル・ユニットとを備える回路の調整可能なパラメータである請求項１２記載の方法。
【請求項１４】
前記回路は、アクティヴ雑音相殺回路を備える請求項１３記載の方法。
【請求項１５】
前記アップ・サンプル・ユニットは、前記ダウン・サンプル・ユニットの後に続き、前記合成遅延を生成させる請求項１２記載の方法。
【請求項１６】
前記ダウン・サンプル・ユニットは、カスケード積分合成器（ＣＩＣ）デシメータを備え、
前記アップ・サンプル・ユニットは、ＣＩＣ補間器を備える請求項１２記載の方法。
【請求項１７】
前記合成遅延はまた、前記ダウン・サンプル・ユニットおよび前記アップ・サンプル・ユニットに対する、ステージ数（Ｎ）の固定値と差動遅延（Ｍ）の固定値とに基づいている請求項１６記載の方法。
【請求項１８】
前記フィルタは、
前記フィルタを定義し、前記ダウン・サンプル・ユニットの出力をフィルタリングして前記アップ・サンプル・ユニットへの入力を提供する、増幅器と加算器と遅延素子とのセットを備え、
前記遅延に対応する前記合成遅延は、前記フィルタに関係する遅延と一致する請求項１２記載の方法。
【請求項１９】
前記ダウン・サンプル・ユニットと前記アップ・サンプル・ユニットは、前記合成遅延の半分を生成させるようにそれぞれ調整可能である請求項１２記載の方法。
【請求項２０】
前記ダウン・サンプル・ユニットと前記アップ・サンプル・ユニットは、反雑音を発生させるアクティヴ雑音相殺回路の一部を形成し、
前記方法は、
オーディオ情報を取り込むことと、
前記取り込んだオーディオ情報をサンプルに変換することと、
前記アクティヴ雑音相殺回路を通して前記サンプルを処理して、前記反雑音を発生させることと、
前記アクティヴ雑音相殺回路によって発生された前記反雑音を出力することとをさらに含む請求項１２記載の方法。
【請求項２１】
前記ダウン・サンプル・ユニットと前記アップ・サンプル・ユニットとを通してサンプルを処理することに関係する前記合成遅延は、前記ダウン・サンプル・ユニットおよび前記アップ・サンプル・ユニットのサンプリング・レシオに基づいて調整可能である請求項１２記載の方法。
【請求項２２】
デバイスにおいて、
ダウン・サンプリングする手段と、
アップ・サンプリングする手段とを具備し、
前記ダウン・サンプリングする手段と前記アップ・サンプリングする手段は、ともに組み合わされて、合成遅延を生成させ、
前記ダウン・サンプリングする手段と前記アップ・サンプリングする手段とに関係する前記合成遅延が、ダウン・サンプリングされたドメインにおけるサンプルをフィルタリングするように構成されているフィルタの１つ以上のタップ遅延に関係する遅延に対応するように、前記ダウン・サンプリングする手段と前記アップ・サンプリングする手段はそれぞれ調整可能であるデバイス。
【請求項２３】
前記合成遅延は、前記デバイスの調整可能なパラメータである請求項２２記載のデバイス。
【請求項２４】
前記デバイスは、アクティヴ雑音相殺を実行するように構成されているアクティヴ雑音相殺回路を具備し、
前記遅延は、前記アクティヴ雑音相殺を促進するように予め選択される請求項２２記載のデバイス。
【請求項２５】
前記アップ・サンプリングする手段は、前記ダウン・サンプリングする手段の後に続き、前記合成遅延を提供する請求項２２記載のデバイス。
【請求項２６】
前記ダウン・サンプリングする手段は、カスケード積分合成器（ＣＩＣ）デシメータを備え、
前記アップ・サンプリングする手段は、ＣＩＣ補間器を備える請求項２２記載のデバイス。
【請求項２７】
前記合成遅延はまた、前記ダウン・サンプリングする手段および前記アップ・サンプリングする手段に対する、ステージ数（Ｎ）の固定値と差動遅延（Ｍ）の固定値とに基づいている請求項２６記載のデバイス。
【請求項２８】
前記フィルタを定義し、前記ダウン・サンプリングする手段の出力をフィルタリングして前記アップ・サンプリングする手段への入力を提供する、増幅器と加算器と遅延素子とのセットをさらに具備し、
前記遅延に対応する前記合成遅延は、前記フィルタに関係する遅延と一致する請求項２４記載のデバイス。
【請求項２９】
前記ダウン・サンプリングする手段と前記アップ・サンプリングする手段は、前記合成遅延の半分を生成させるようにそれぞれ調整可能である請求項２２記載のデバイス。
【請求項３０】
前記デバイスは、前記ダウン・サンプリングする手段と前記アップ・サンプリングする手段とを備えるアクティヴ雑音相殺回路を具備し、
前記遅延は、アクティヴ雑音相殺を促進するように選択され、
前記デバイスは、オーディオ情報を取り込むマイクロフォンと、前記取り込んだオーディオ情報をサンプルに変換するデジタル・アナログ変換器と、前記アクティヴ雑音相殺回路によって発生される反雑音を出力するスピーカとをさらに具備する請求項２２記載のデバイス。
【請求項３１】
前記ダウン・サンプリングする手段と前記アップ・サンプリングする手段とを通して前記サンプルを処理することに関係する前記合成遅延は、前記ダウン・サンプリングする手段および前記アップ・サンプリングする手段のサンプリング・レシオに基づいて調整可能である請求項２２記載のデバイス。
【請求項３２】
プロセッサにおける実行の際に前記プロセッサにアクティヴ雑音相殺を実行させる命令を含むコンピュータ読み出し可能な記憶媒体において、
前記命令は、前記プロセッサに、ダウン・サンプル・ユニットとアップ・サンプル・ユニットとを通してサンプルを処理させ、
前記ダウン・サンプル・ユニットと前記アップ・サンプル・ユニットは、ともに組み合わされて、合成遅延を生成させ、
前記ダウン・サンプル・ユニットと前記アップ・サンプル・ユニットとを通してサンプルを処理することに関係する前記合成遅延が、ダウン・サンプリングされたドメインにおけるサンプルをフィルタリングするように構成されているフィルタの１つ以上のタップ遅延に関係する遅延に対応するように、前記ダウン・サンプル・ユニットと前記アップ・サンプル・ユニットはそれぞれ調整可能であるコンピュータ読み出し可能な記憶媒体。
【請求項３３】
前記合成遅延は、前記ダウン・サンプル・ユニットと前記アップ・サンプル・ユニットとを備える回路の調整可能なパラメータであり、
前記命令は、前記プロセッサに、前記調整可能なパラメータを選択させる請求項３２記載のコンピュータ読み出し可能な記憶媒体。
【請求項３４】
前記回路はアクティヴ雑音相殺回路を備え、
前記プロセッサは、前記回路に対する前記遅延を選択する請求項３３記載のコンピュータ読み出し可能な記憶媒体。
【請求項３５】
前記アップ・サンプル・ユニットは、前記ダウン・サンプル・ユニットの後に続き、前記合成遅延を生成させる請求項３２記載のコンピュータ読み出し可能な記憶媒体。
【請求項３６】
前記ダウン・サンプル・ユニットは、カスケード積分合成器（ＣＩＣ）デシメータを備え、
前記アップ・サンプル・ユニットは、ＣＩＣ補間器を備える請求項３２記載のコンピュータ読み出し可能な記憶媒体。
【請求項３７】
前記合成遅延はまた、前記ダウン・サンプル・ユニットおよび前記アップ・サンプル・ユニットに対する、ステージ数（Ｎ）の固定値と差動遅延（Ｍ）の固定値とに基づいており、
前記命令は、前記プロセッサに、ＮとＭとに基づいて前記合成遅延を調整させる請求項３６記載のコンピュータ読み出し可能な記憶媒体。
【請求項３８】
前記命令は、前記プロセッサに、
前記フィルタを定義し、前記ダウン・サンプル・ユニットの出力をフィルタリングして前記アップ・サンプル・ユニットへの入力を提供する、増幅器と加算器と遅延素子とのセットを通して、前記サンプルを処理させ、
前記遅延に対応する前記合成遅延は、前記フィルタに関係する遅延と一致する請求項３２記載のコンピュータ読み出し可能な記憶媒体。
【請求項３９】
前記ダウン・サンプル・ユニットと前記アップ・サンプル・ユニットは、前記合成遅延の半分を生成させるようにそれぞれ調整可能である請求項３２記載のコンピュータ読み出し可能な記憶媒体。
【請求項４０】
前記ダウン・サンプル・ユニットと前記アップ・サンプル・ユニットは、反雑音を発生させるアクティヴ雑音相殺回路の一部を形成し、
前記命令は、前記プロセッサに、
オーディオ情報を取り込ませ、
前記取り込ませたオーディオ情報をサンプルに変換させ、
前記アクティヴ雑音相殺回路を通して前記サンプルを処理させて、前記反雑音を発生させ、
前記アクティヴ雑音相殺回路によって発生させた前記反雑音を出力させる請求項３２記載のコンピュータ読み出し可能な記憶媒体。
【請求項４１】
前記ダウン・サンプル・ユニットと前記アップ・サンプル・ユニットとを通してサンプルを処理することに関係する前記合成遅延は、前記ダウン・サンプル・ユニットおよび前記アップ・サンプル・ユニットのサンプリング・レシオに基づいて調整可能である請求項３２記載のコンピュータ読み出し可能な記憶媒体。